(57)【要約】【課題】原稿を読み取る際の読取面が受ける裏面からの影響を除去し、読取面の画像データの品質を向上させることができること。【解決手段】画像読取部１０４により原稿両面の１走査線の画像データの読み取りをおこない、裏面の画像データＳｂは、濃度値変換部３０１へと送出する。濃度値変換部３０１は、受け取った画素の濃度値を負の値へと変換する。濃度値補正部３０２は、濃度値変換部３０１から送出された濃度値に対してユーザが設定した重み付けの比率を乗算する。そして、加算部３０３は、濃度値補正部３０２から送出された濃度値と、画像読取部１０４から送出された表面の画像データＳｆの画素の濃度値とで加算をおこなう。これにより、表面の画像データに与える裏面からの画像データの影響を除去することができる。【選択図】      図４
2004328679.tif 000002
【特許請求の範囲】
【請求項１】
原稿の表面と裏面とを画像データとして読み取る読取手段と、
前記読取手段にて読み取った前記裏面の画像データの濃度値を負の値に変換する濃度値変換手段と、
前記濃度値変換手段により変換された前記濃度値に対して予め設定された比率を乗算する濃度値補正手段と、
前記濃度値補正手段により乗算された前記濃度値と、前記裏面に対応する前記表面の画像データの濃度値とを加算する加算手段と、
を備えたことを特徴とする画像読取装置。
【請求項２】
前記読取手段は、
前記原稿の表面を読み取る第１の読取部と、
前記原稿の裏面を読み取る第２の読取部と、
前記第１の読取部および前記第２の読取部に対して原稿を相対的に移動させる原稿送り手段と、
を備えたことを特徴とする請求項１に記載の画像読取装置。
【請求項３】
前記濃度値変換手段は、前記第２の読取部により読み取った一走査線分の画素の濃度値を負の値に変換し、
前記濃度値補正手段は、前記濃度値変換手段により変換した前記一走査線分の前記原稿の裏面の前記画素の濃度値に対して予め設定された比率を乗算し、
前記加算手段は、前記濃度値補正手段により得られた前記一走査線分の前記原稿の裏面の前記画素の濃度値と、該一走査線に対応する前記第１の読取部により読み取った前記原稿の表面の一走査線分の画素の濃度値とを加算することを特徴とする請求項２に記載の画像読取装置。
【請求項４】
前記読取手段は、
前記原稿の一面を読み取る読取部と、
前記読取部に対して前記原稿を相対的に移動させる原稿送り手段と、
前記原稿の表面を読み取った後、該原稿を反転させ前記裏面を前記読取部に読み取らせるための反転手段と、
を備えたことを特徴とする請求項１に記載の画像読取装置。
【請求項５】
前記濃度値変換手段は、前記読取部により読み取った前記原稿の裏面の一走査線分の画素の濃度値を負の値に変換し、
前記濃度値補正手段は、前記濃度値変換手段により変換した前記一走査線分の前記原稿の裏面の前記画素の濃度値に対して予め設定された比率を乗算し、
前記加算手段は、前記濃度値補正手段により得られた前記一走査線分の前記原稿の裏面の前記画素の濃度値と、該一走査線に対応する前記読取部により読み取った前記原稿の表面の一走査線分の画素の濃度値とを加算することを特徴とする請求項４に記載の画像読取装置。
【発明の詳細な説明】
【０００１】
【発明の属する技術分野】
この発明は、原稿の両面を読み取る画像読取装置に関し、特に原稿の裏映りを防止できる画像読取装置に関する。
【０００２】
【従来の技術】
従来、複写機や、ファクシミリに設けられる画像読取装置は、紙資源の節約や有効活用のために、１枚の紙に原稿の両面の画像を形成する両面印刷の機能を有したものがある。たとえば、画像読取装置内の画像を読み取る手段、あるいは原稿のどちらか一方を他方に対して移動させることによって走査し、画像の読み取りをおこなうものである。そして、原稿の両面を読み取る方式としては、画像読取装置内の一つの画像を読み取る部位で原稿を反転させることにより原稿を片面ずつ交互に読み込むものがある。また、画像を読み取る手段が原稿に対して裏表両面に備えられ、原稿の表裏の面を同時に読み込むものがある（たとえば、特許文献１参照。）。
【０００３】
【特許文献１】
特開平３−１０７２７６号公報
【０００４】
【発明が解決しようとする課題】
しかしながら、従来の画像読取装置では、単に原稿の両面の画像を同時、あるいは一面ずつ読み取るだけであるため、厚さが不十分な紙媒体や、光の透過率の高い紙媒体では、原稿を読み取った際に読取面の裏側の画像が透過して映り込むことで不鮮明な画像データが形成されるという問題があった。
【０００５】
この発明は、上述した従来技術に鑑みてなされたものであって、原稿の読取面への裏映りを除去でき、読取面の画像データを明瞭にできる画像読取装置を提供することを目的とする。
【０００６】
【課題を解決するための手段】
上述した課題を解決し、目的を達成するため、請求項１の発明にかかる画像読取装置は、原稿の表面と裏面とを画像データとして読み取る読取手段と、前記読取手段にて読み取った前記裏面の画像データの濃度値を負の値に変換する濃度値変換手段と、前記濃度値変換手段により変換された前記濃度値に対して予め設定された比率を乗算する濃度値補正手段と、前記濃度値補正手段により乗算された前記濃度値と、前記裏面に対応する前記表面の画像データの濃度値とを加算する加算手段と、を備えたことを特徴とする。
【０００７】
また、請求項２の発明にかかる画像読取装置は、請求項１に記載の発明において、前記読取手段は、前記原稿の表面を読み取る第１の読取部と、前記原稿の裏面を読み取る第２の読取部と、前記第１の読取部および前記第２の読取部に対して原稿を相対的に移動させる原稿送り手段と、を備えたことを特徴とする。
【０００８】
また、請求項３の発明にかかる画像読取装置は、請求項２に記載の発明において、前記濃度値変換手段は、前記第２の読取部により読み取った一走査線分の画素の濃度値を負の値に変換し、前記濃度値補正手段は、前記濃度値変換手段により変換した前記一走査線分の前記原稿の裏面の前記画素の濃度値に対して予め設定された比率を乗算し、前記加算手段は、前記濃度値補正手段により得られた前記一走査線分の前記原稿の裏面の前記画素の濃度値と、該一走査線に対応する前記第１の読取部により読み取った前記原稿の表面の一走査線分の画素の濃度値とを加算することを特徴とする。
【０００９】
また、請求項４の発明にかかる画像読取装置は、請求項１に記載の発明において、前記読取手段は、前記原稿の一面を読み取る読取部と、前記読取部に対して前記原稿を相対的に移動させる原稿送り手段と、前記原稿の表面を読み取った後、該原稿を反転させ前記裏面を前記読取部に読み取らせるための反転手段と、を備えたことを特徴とする。
【００１０】
また、請求項５の発明にかかる画像読取装置は、請求項４に記載の発明において、前記濃度値変換手段は、前記読取部により読み取った前記原稿の裏面の分の画素の濃度値を負の値に変換し、前記濃度値補正手段は、前記濃度値変換手段により変換した前記一走査線分の前記原稿の裏面の前記画素の濃度値に対して予め設定された比率を乗算し、前記加算手段は、前記濃度値補正手段により得られた前記一走査線分の前記原稿の裏面の前記画素の濃度値と、該一走査線に対応する前記読取部により読み取った前記原稿の表面の一走査線分の画素の濃度値とを加算することを特徴とする。
【００１１】
【発明の実施の形態】
以下に添付図面を参照して、この発明にかかる画像読取装置の好適な実施の形態を詳細に説明する。
【００１２】
まず、この発明の画像読取装置の全体構成について説明する。図１において、画像読取装置１００は、予め格納されているシステム制御プログラム、あるいはシステム制御プログラム上で動作するプログラムによって各装置を統括するシステム制御部１０１と、ユーザにより設定や、命令などの入力操作をおこなう操作部１０２を備える。そして、画像読取装置１００内に格納された、あるいは、後述する画像読取部１０４で読み取る画像データに基づき、用紙に転写記録することで画像を再生出力する画像再生部１０３と、画像再生部１０３で再生出力するための原稿などを読み取り、電気信号に変換した画像データを出力する画像読取部１０４とを備える。
【００１３】
また、画像処理部１０５は、画像読取部１０４で読み取った画像データや、後述する画像メモリ１０６に記憶された画像データに対して画像データの変換や補正をおこなう。画像メモリ１０６は、画像読取部１０４で読み取った、あるいはネットワークを介して受信した画像データを一時記憶する。メカ制御部１０７は、原稿の送りや、用紙の搬送などの機械的な駆動のタイミングをシステム制御部１０１から送られる信号により制御をおこなう。通信処理部１０８は、ネットワークを介して他のデジタル複写機などと画像データや、コマンドの送受信を実行する。画像読取装置１００は、上述した各部がシステムバス１０９を介して接続して構成されている。
【００１４】
上記の、画像読取部１０４の具体的構成としては、両面原稿の２つの面を同時に読み取るもの（以下、両面同時読取型という）と、両面原稿の片面を読み取った後、原稿を反転させてもう一方の面を読み取るもの（以下、原稿反転読取型という）とがある。この発明の本実施の形態１では、両面同時読取型を、この発明の本実施の形態２においては原稿反転読取型においておこなう処理を各々説明する。
【００１５】
（実施の形態１）
この発明の本実施の形態１の機能的構成の特徴は、画像読取部１０４が両面同時読取型である。両面同時読取型の場合、原稿の両面を同時に読み取るため、後述するイメージセンサ２０２，２０６（図２参照）のような原稿を読み取るための装置が、表裏両面に一つずつ備えられることとなる。
【００１６】
図１は、この発明の本実施の形態１にかかる画像読取装置の全体構成を示す図である。画像読取部１０４が両面同時読取型である場合の全体構成を図１を用いて説明する。まず、ユーザにより操作部１０２から原稿の読み取り指示が出されると、システム制御部１０１の指令に従い、メカ制御部１０７が駆動する原稿搬送モータなどと連携し、画像読取部１０４が動作することで原稿の両面が同時に読み取られる。画像読取部１０４によって読み取られた画像データは、たとえば、明るさのムラを均一なものに補正するためにおこなうシェーディング補正などの処理を経て、システムバス１０９を介して画像メモリ１０６へと記憶される。このとき、画像メモリ１０６は、システム制御部１０１が指示する個別の記憶領域に原稿の一面ずつの画像データを記憶させることとなる。画像メモリ１０６へ記憶された画像データは、必要に応じて画像読取装置１００内に備えられたハードディスク（図示せず）に保存されたり、通信処理部１０８から他の情報機器へと送信される。
【００１７】
図２は、この発明の本実施の形態１にかかる両面同時読取型の画像読取部の構成を示す模式図である。図２に示すように、画像読取部１０４は、原稿２００を挟み、下側を第１の読取部２０１、上側を第２の読取部２０５とする。第１の読取部２０１は、光源２０３より原稿２００の裏面２００ｂに照射される光の反射光をイメージセンサ２０２を用いて読み取り、その受光素子により主走査方向に一走査線ごとに光電変換して画像データを出力する。一方、第２の読取部２０５は、光源２０７より原稿２００の表面２００ａに照射される光の反射光をイメージセンサ２０６を用いて読み取り、画像データの出力をおこなう。
【００１８】
また、図中の矢印は、原稿２００が搬送される方向（副走査方向）を示したものである。原稿２００の搬送は、原稿搬送モータによって搬送方向に回転される搬送ローラ（図示せず）対が圧接部に挟持し、第１の読取部２０１，第２の読取部２０５に対して相対的になるような矢印方向に搬送するようになっている。そして、イメージセンサ２０２と、イメージセンサ２０６の原稿２００を挟んで向かい合う位置には遮光板２０４，２０８が、光源２０３、または２０７から他方のイメージセンサ２０２，２０６へ照射される光を遮光するものとなっている。
【００１９】
図３は、この発明の本実施の形態１にかかる画像処理部にかかる周辺処理の構成を示すブロック図である。図３のブロック図は、画像処理部１０５を中心として、図１で示した画像読取部１０４と、画像再生部１０３と、画像メモリ１０６とで構成されている。画像読取部１０４にて読み取った画像データは、画像処理部１０５を介し、画像再生部１０３へと送出されるものとする。また、画像処理部１０５の内部は、濃度値変換部３０１と、濃度値補正部３０２と、加算部３０３とから構成されている。
【００２０】
ここで、画像読取部１０４が、両面同時読取型の場合、画像読取部１０４で原稿の両面の画像データの読み取りをおこなう。まず、表面の画像データＳｆは、加算部３０３へと送出される。一方、裏面の画像データＳｂは、濃度値変換部３０１へと送出される。そして、これら画像データＳｆと、画像データＳｂは、ともに一走査線単位でデータが送出されるものとする。
【００２１】
濃度値変換部３０１は、受け取った一走査線の画像データＳｂの各画素の濃度値を負の値へと変換する。濃度値補正部３０２は、濃度値変換部３０１から送出された濃度値に対してユーザが設定した重み付けの比率を乗算する。この重み付けの比率は、ユーザが予め操作部１０２から設定できるものである。また、原稿の紙の厚さなどから重み付けの比率（実験値や、経験値など）が決定される場合には予め画像処理部１０５などにテーブルとして登録しておいてもよい。
【００２２】
加算部３０３は、濃度値補正部３０２から送出された濃度値と、画像読取部１０４から送出された表面の画像データＳｆの画素の濃度値とを一走査線単位で加算をおこなう。この加算をおこなうことにより、表面の画像データに与える裏面の画像データの影響を除去することとなる。なお、ここで加算し合う表面と裏面の画素は、原稿の表裏で同一位置のものである。そして、画像再生部１０３は、加算部３０３から送出される画素により画像データを形成し、用紙などに画像を再生出力する。また、加算部３０３で加算した画像データは、画像再生部１０３には直接送出せず、画像メモリ１０６に記憶したり、その他一時的な格納部（図示せず）などに格納し、画像読取装置１００内に保存される場合もある。
【００２３】
つぎに、図４は、この発明の本実施の形態１にかかる読取面の裏映り除去処理にかかる濃度値の例を示した図である。図４に示す（ａ）〜（ｅ）のグラフは、各々一走査線分の画素の濃度値を表示したものである。グラフの横方向は主走査線上の画素単位での配列位置を表し、縦方向は各画素に対する濃度値を表している。また、図４の画像は、縦方向の濃度値の範囲を、０（白）〜２５５（黒）とするグレースケール画像である。
【００２４】
まず、図４（ａ）は、画像読取部１０４にて読み取った原稿の表面画像（元画像）の一走査線上における画素ごとの濃度値を示したグラフである。図４（ａ）の領域Ａ範囲内の濃度値ｄａは、ほぼ全体に渡って２５５（黒）に近い値であり、裏面画像が裏映りして読み取られた濃度値ではなく、表面画像自体の濃度値を示したものである。一方、領域Ｂ範囲内の濃度値ｄａは、全体的に濃度が薄く（白に近い）、後述する図４（ｂ）の領域Ｂ範囲内のグラフともピークの位置が同じことから、裏映りして読み取られた濃度値を含んでいる。
【００２５】
つぎに、図４（ｂ）は、（ａ）で示した表面画像の走査線と表裏の関係で重なる裏面画像（元画像）の一走査線の濃度値を示したグラフである。まず、領域Ａ範囲内の濃度値ｄｂは、図４（ａ）における領域Ａ範囲内が、ほぼ全体に渡って２５５（黒）であったことから、表面画像が裏面に裏映りした濃度値が含まれているものである。一方、図４（ｂ）の領域Ｂ範囲内の濃度値ｄｂを見ると、多くの部分で２５５（黒）に近い濃度値であることから、表面画像から裏映りしたものではなく、裏面画像自体の濃度値である。この図４（ｂ）の領域Ｂ範囲内の濃度値が高いことから、図４（ａ）で示した表面画像における領域Ｂ範囲内は、裏面画像が裏映りして読み取られた濃度値を含むこととなる。
【００２６】
図４（ｃ）は、（ｂ）で示した裏面画像（元画像）の濃度値を負の値に変換した後の濃度値ｄｃを示したものである（裏面反転画像）。また、図４（ｄ）は、図４（ｃ）で示した裏面反転画像の濃度値に重み付けをしたものである。このグラフは、図４（ｃ）で示される濃度値ｄｃに重み付けとなる比率の値を乗算したものである。重み付けの比率は、画像読取装置１００を使用するユーザなどによって操作部１０２の操作などで予め設定できるものとする。
【００２７】
図４（ｅ）は、図４（ａ）の表面画像（元画像）から裏映りの影響を除去した結果（表面処理後画像）を示したものである。これは、上述した図４（ｃ）、図４（ｄ）の処理によって、裏面画像から裏映りとして与えられていると考えられる濃度値を導出し、元画像である図４（ａ）の表面画像の濃度値から減算（図４（ｂ）の処理で負の値に変換しているので正しくは負の濃度値を加算）したものである。この処理をおこなうことによって、図４（ａ）の領域Ｂ範囲内の、図４（ｂ）による裏映りの影響によって加算された濃度値を除去することができる。
【００２８】
つぎに、上述した図４の裏映りを除去するまでの処理を処理手順としてフローチャートを用いて説明する。図５は、この発明の本実施の形態１にかかる読取面の裏映り除去処理の処理手順を示すフローチャートである。まず、画像読取部１０４により一走査線単位で表面の画像データを読み取り（ステップＳ５０１）、続いて、画像読取部１０４により一走査線単位で裏面の画像データを読み取る（ステップＳ５０２）。ステップＳ５０２で読み取った裏面の画像データの各画素の濃度値を濃度値変換部３０１にて負の値に変換する（ステップＳ５０３）。ステップＳ５０３で負の値に変換した裏面画像の各画素の濃度値に対して濃度値補正部３０２にて重みの比率を乗算する（ステップＳ５０４）。
【００２９】
つぎに、ステップＳ５０４の乗算結果と、それに対応するステップＳ５０１で読み取った一走査線単位での表面の画像データの画素の濃度値とを加算部３０３にて加算する（ステップＳ５０５）。そして、処理をおこなう読取面の画像データが終了したか否かを判断する（ステップＳ５０６）。画像データが終了せず残っている場合は（ステップＳ５０６：Ｎｏ）、再びステップＳ５０１に戻り、つぎの走査線に対して一連の処理をおこなう。画像データが終了した場合は（ステップＳ５０６：Ｙｅｓ）、そのまま処理を終える。
【００３０】
以上説明したように、本実施の形態１によれば、画像読取部１０４により原稿の表面と、裏面とを同時に読み取った際、濃度値変換部３０１と、濃度値補正部３０２により、裏映りの原因となる裏面の画像データの濃度値を負に変換し、重み付けを加えて表面の画像データの濃度値に加算することで、表面に与える裏映りの影響を除去することが可能となる。また、上記処理を一走査線ごとにおこなうので簡単な構成で効率的に処理できるようになる。
【００３１】
（実施の形態２）
つぎに、この発明の実施の形態２について説明する。本発明の実施の形態２の機能的構成の特徴は、画像読取部１０４を原稿反転読取型としたものである。画像読取部１０４が原稿反転読取型である場合を図２を用いて説明すると、原稿を読み取る装置として、第１の読取部２０１、または、第２の読取部２０５のどちらか一方のみが備えられたものに相当する。さらに、この読み取りをおこなう際に原稿の表裏を反転させる機構（図示せず）を備え、原稿の両面を片面ずつ順に読み取る構成となっている。
【００３２】
画像読取部１０４が原稿反転読取型である場合の全体構成を図１を用いて説明する。まず、ユーザにより操作部１０２から原稿の読み取り指示が出される。すると、システム制御部１０１の指令に従い、メカ制御部１０７が駆動する原稿搬送モータなどと連携し、画像読取部１０４が動作することにより原稿の片面が読み取られる。読み取られた片面の画像データは、システムバス１０９を介して画像メモリ１０６へと記憶される。その後、メカ制御部１０７の制御によって動作させる反転ユニットなどにより原稿が反転され、再び画像読取部１０４によってもう一方の原稿面が画像データとして読み取られる。ここで読み取られた画像データも最初に読み取られた画像データと同様に画像メモリ１０６へと記憶される。画像メモリ１０６へ一時記憶された画像データは、両面同時読取型と同じく、画像読取装置１００内の格納部に保存されたり、通信処理部１０８から他の情報機器へ必要に応じて送信されることとなる。
【００３３】
つぎに、画像読取部１０４が原稿反転読取型である場合のブロック図を、上述した図３を用いて説明する。画像読取部１０４が、原稿反転読取型の場合、画像読取部１０４で最初に読み取った表面の画像データＳｆは、画像メモリ１０６に記憶される。そして、備えられた原稿を反転する装置を用いて原稿を反転し、もう一方の面（原稿の裏面）の読み込みを開始すると、裏面の画像データＳｂは、濃度変換部３０１へと送出される。
【００３４】
濃度値変換部３０１は、受け取った一走査線の画像データＳｂの各画素の濃度値を負の値へと変換する。さらに、濃度値補正部３０２は、濃度値変換部３０１から送出された濃度値に対してユーザが設定した重み付けの比率を乗算する。この一連の処理は実施の形態１の場合と同様におこなわれる。
【００３５】
加算部３０３は、濃度値補正部３０２から送出された濃度値と、画像メモリ１０６から取り出した表面の画像データＳｆの画素の濃度値とを一走査線単位で加算をおこなう。この演算をおこなうことにより、表面の画像データに与える裏面の画像データの影響を除去することとなる。なお、ここで加算し合う表面と裏面の画素は、原稿の表裏で同一位置のものである。そして、画像再生部１０３は、加算部３０３から送出される画素により画像データを形成し、用紙などに画像を再生出力する。また、加算部３０３で加算した画像データは、画像再生部１０３には直接送出せず、画像メモリ１０６に記憶したり、その他一時的な格納部（図示せず）などに格納し、画像読取装置１００内に保存することができる点については実施の形態１と同様である。
【００３６】
なお、実施の形態１の図４でおこなった裏映り処理の説明は、実施例２についても同様に適用される。図４では、表面の画像データに与える裏面からの裏映りの影響を除去するまでの処理を画像データ上の濃度値を用いた例で説明した。実施の形態１と、実施の形態２とでは、画像読取部１０４においての原稿の読み取り方法および記憶方法が異なるのみで、読み取った後の表面と、裏面に対しておこなう裏映りの除去処理は共通のものである。
【００３７】
以上説明したように、本実施の形態２によれば、画像読取部１０４により原稿の表面を画像メモリ１０６に先に読み取り画像データを記憶しておく。つぎに裏面を読み取った後、濃度値変換部３０１と、濃度値補正部３０２により、裏映りの原因となる裏面の画像データの濃度値を負に変換し、重み付けを加え、最初に読み取った表面の画像データの濃度値に加算することで、表面に与える裏映りの影響を除去することが可能となる。また、上記処理を一走査線ごとにおこなうので簡単な構成で効率的に処理できるようになる。
【００３８】
なお、上述した２つの実施形態では、読み取った表面と裏面の画像データを走査線ごとに送出し、画素ごとで処理をおこなうものとして説明したが、予め決めた画素のブロックなどを単位として処理をおこなうものであってもよい。
【００３９】
また、上述した２つの実施形態では、表面のみを読み取りの対象とし、裏面からの裏映り除去処理をおこなう対象とした説明をおこなったが、裏面を読み取りの対象とする場合には、表面から裏面に対する裏映りが除去処理をおこなう対象となり、同様の除去処理が適用できる。
【００４０】
また、上述した２つの実施形態では、ともに原稿の両面を読み取るものであったが、片面原稿だけを読み取る場合においても裏映りは同様に発生するため、上述した裏映りの除去処理を適用することができる。
【００４１】
また、上述した２つの実施形態では、原稿読み取りの際に原稿搬送モータにより原稿自体が移動するものとしたが、原稿が固定で読み取りをおこなうイメージセンサ２０２，２０６（図２参照）自体が移動するものであってもよい。原稿、および、その読み取りをおこなう装置が互いに相対的に動くことで画像の読み取りをおこなうことが可能であるならば、どちらが移動する構成であってもよい。
【００４２】
【発明の効果】
以上説明したように、本発明によれば、読み取った原稿の表面と、裏面の画像データを用いて裏映りの成分を簡単な画像処理により精度よく除去でき、読取面の画像データを明瞭にできるという効果を奏する。
【図面の簡単な説明】
【図１】この発明の本実施の形態１にかかる画像読取装置の全体構成を示す図である。
【図２】この発明の本実施の形態１にかかる両面同時読取型の画像読取部の構成を示す模式図である。
【図３】この発明の本実施の形態１にかかる画像処理部にかかる周辺処理の構成を示すブロック図である。
【図４】この発明の本実施の形態１にかかる読取面の裏映り除去処理にかかる濃度値の例を示した図である。
【図５】この発明の本実施の形態１にかかる読取面の裏映り除去処理の処理手順を示すフローチャートである。
【符号の説明】
１００  画像読取装置
１０１  システム制御部
１０２  操作部
１０３  画像再生部
１０４  画像読取部
１０５  画像処理部
１０６  画像メモリ
１０７  メカ制御部
１０８  通信処理部
１０９  システムバス
２００  原稿
２００ａ  表面
２００ｂ  裏面
２０１  第１の読取部
２０５  第２の読取部
２０２，２０６  イメージセンサ
２０３，２０７  光源
２０４，２０８  遮光板
３０１  濃度値変換部
３０２  濃度値補正部
３０３  加算部
【図１】
2004328679.tif 000003
【図２】
2004328679.tif 000004
【図３】
2004328679.tif 000005
【図４】
2004328679.tif 000006
【図５】
2004328679.tif 000007